【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
マッサージ装置において：
ハウジングと；
使用者の身体部に接触するように前記ハウジングに設けられているマッサージ構成と；
前記ハウジング内に配置され、前記身体部をマッサージするために前記マッサージ構成にマッサージ効果を伝えるマッサージ機構と；
前記マッサージ構成に設けられ、前記マッサージ構成からの照明効果を伝える光源と；
前記ハウジング内に配置され、前記ハウジング内で制限された並進を行う可動台部であって、前記マッサージ構成が設けられている可動台部と；
当該可動台部に支持されたモータと；
前記可動台部に取り付けられ、軸を中心として回転するために前記モータによって動作可能に駆動されるシャフトであって、前記シャフト軸に対してそれぞれ傾斜している一対の第２シャフト部分を具えるシャフトと；
前記第２シャフト部分の一方にそれぞれジャーナルされる一対のマッサージブラケットであって、前記シャフトの回転が前記マッサージブラケットを前記可動台部に対して振動させるように、前記シャフト軸を中心に制限された回転をするように前記可動台部に係合する一対の前記マッサージブラケットと；
当該マッサージブラケットの一方にそれぞれ回動可能に連結している一対のマッサージアームであって、前記光源が前記マッサージアームの一方に設けられている一対のマッサージアームと；
前記可動台部が前記ハウジングに対して並進を行うとき前記使用者の身体部にローリングマッサージ効果を伝えるため、及び前記マッサージブラケットが前記可動台部に対して振動するときに前記使用者の身体部に揉みマッサージ効果を伝えるために、前記マッサージアームの一方にそれぞれ回動可能に連結されている一対のマッサージローラと；
を具えることを特徴とするマッサージ装置。
【請求項２】
請求項１に記載のマッサージ装置において、前記光源がさらに、少なくとも１の発光ダイオードを具えていることを特徴とするマッサージ装置。
【請求項３】
請求項１に記載のマッサージ装置において、前記光源が前記マッサージ機構のマッサージ動作モードを表示することを特徴とするマッサージ装置。
【請求項４】
請求項１に記載のマッサージ装置がさらに、マッサージ面を通して前記照明効果を伝えるためにほぼ半透明である前記マッサージ構成を覆うカバーを具えることを特徴とするマッサージ装置。
【請求項５】
請求項１に記載のマッサージ装置において、前記ハウジングが従来の椅子の背もたれに受けられ支持される大きさであることを特徴とするマッサージ装置。
【請求項６】
請求項１に記載のマッサージ装置において、少なくとも１の前記ローラを通して前記照明効果を伝えるために、前記対のローラがほぼ半透明であり、前記光源が前記少なくとも１のローラに近接して設けられていることを特徴とするマッサージ装置。
【請求項７】
請求項１に記載のマッサージ装置において、少なくとも１のローラを通して前記照明効果を伝えるために、前記一対のマッサージローラがほぼ半透明であることを特徴とするマッサージ装置。
【請求項８】
請求項１に記載のマッサージ装置において、各対のマッサージローラがさらに、前記対応するマッサージアームとマッサージブラケットの回動可能な連結部の対向する側部にそれぞれ回転可能に取り付けられた第１マッサージローラ及び第２マッサージローラを具えることを特徴とするマッサージ装置。
【請求項９】
請求項８に記載のマッサージ装置において、前記ローラに負荷が分配された場合に、前記可動台部へ前記負荷を分配するために前記マッサージローラが前記可動台部に接触するように配置されていることを特徴とするマッサージ装置。
【請求項１０】
請求項８に記載のマッサージ装置において、前記マッサージローラがほぼ半透明であり、前記光源がさらに、前記マッサージローラを照明するために、１の前記マッサージローラに面している１の前記マッサージアームにそれぞれ取り付けられた複数の発光ダイオードを具えることを特徴とするマッサージ装置。
【請求項１１】
請求項１０に記載のマッサージ装置がさらに、前記ハウジングに取り付けられた柔軟なカバーを具え、前記マッサージローラは、前記柔軟なカバーに当接しており、前記柔軟なカバーは、少なくとも部分的に半透明であり、使用者が照明されたマッサージローラをみることができることを特徴とするマッサージ装置。
【請求項１２】
請求項１に記載のマッサージ装置において：
前記ハウジングが、縦軸と、使用者の身体の一部を受けるための外部接触面とを具え；
前記マッサージ装置がさらに、前記ハウジングに取り付けられた縦ガイドを具え；
前記可動台部は、前記ガイドに沿って前記ハウジングで制限された縦の並進運動を行うために前記ガイドと協動し；
前記一対のマッサージローラが前記縦軸を中心に横に間隔をあけており；
前記ハウジングが少なくとも部分的に半透明であり、使用者が前記少なくとも一対のマッサージ部材を見ることができることを特徴とするボディマッサージ機。
【請求項１３】
ボディマッサージ機において：
縦軸及び使用者の身体の一部を受けるための部分的に半透明な外部接触面を具えるハウジングと；
当該ハウジングに取り付けられた縦ガイドと；
前記ハウジング内に配置された可動台部であって、前記ガイドと協動して、前記ガイドに沿って前記ハウジング内で制限された縦の並進運動を行う可動台部と；
１の前記ハウジング及び前記可動台部によって支持された第１モータであって、これによって駆動され、前記ガイドに沿って前記可動台部を並進させるために前記可動台部及び前記ハウジングに動作可能に連結しているモータ出力シャフトを具える第１モータと；
１の前記ハウジング及び前記可動台部によって支持された第２モータであって、これによって駆動されるモータ出力シャフトを具える第２モータと；
前記可動台部に取り付けられ横軸を中心に回転するために前記第２モータの前記モータ出力シャフトに動作可能に連結している横軸シャフトであって、前記横軸に対してそれぞれ傾斜し縦軸を中心に横に間隔を空けた一対の第２シャフト部分を具える横軸シャフトと；
前記第２シャフト部分の一方にそれぞれジャーナルされる一対のマッサージブラケットであって、前記横軸シャフトの回転が前記マッサージブラケットを前記可動台部に対して振動させるように、前記横軸を中心に制限された回転をするように前記可動台部に係合する一対の前記マッサージブラケットと；
前記マッサージブラケットの一方にそれぞれ回動可能に連結している一対のマッサージアームと；
前記可動台部が前記ハウジングに対して並進を行うとき前記使用者の身体部にローリングマッサージ効果を伝えるため、及び前記マッサージブラケットが前記可動台部に対して振動するときに前記使用者の身体部に揉みマッサージ効果を伝えるために前記マッサージアームの一方にそれぞれ回動可能に連結している一対のマッサージローラであって、前記ローラに負荷が分配された場合に、前記可動台部へ負荷を分配するために前記可動台部に接触するように配置されているマッサージローラと；
を具えることを特徴とするボディマッサージ機。
【請求項１４】
請求項１３に記載のボディマッサージ機がさらに、照明されたマッサージローラからの照明効果を伝えるために前記一対のマッサージローラの一方を照明するための前記可動台部によって支持される光源を具えることを特徴とするボディマッサージ機。
【請求項１５】
請求項１３に記載のボディマッサージ機がさらに：
前記第１モータ出力シャフトに取り付けられて当該シャフトによって駆動されるウォームと；
前記可動台部に回転可能に取り付けられたウォームギアであって、前記ウォームによって動作可能に駆動されるウォームギアと；
前記可動台部に回転可能に取り付けられたピニオンギアであって、前記ウォームギアによって動作可能に駆動されるピニオンギアと；
前記ピニオンギアの回転によって前記ガイドに沿って前記可動台部が並進できるように前記ハウジングに固定されて前記ピニオンギアに歯合した縦ラックと；
を具えることを特徴とするボディマッサージ機。
【請求項１６】
マッサージ装置であって：
ハウジングと；
当該ハウジング内に配置され、前記ハウジング内で制限された並進を行う可動台部と；
当該可動台部に支持されたモータと；
前記可動台部に取り付けられ、前記モータによって動作可能に駆動され、一対の振動機構を具える変速機と；
前記振動機構の一方にそれぞれジャーナルされるマッサージブラケットであって、前記振動機構の回転が前記マッサージブラケットを前記可動台部に対して振動させるように、前記対応する振動機構の軸を中心に制限された回転をするように前記可動台部に係合する一対の前記マッサージブラケットと；
前記可動台部が前記ハウジングに対して並進を行うとき前記使用者の身体部にマッサージ効果を伝えるため、及び前記マッサージブラケットが前記可動台部に対して振動するときに使用者の身体部に揉みマッサージ効果を伝えるために、各々が前記マッサージブラケットの一方に連結され、ほぼ半透明である一対のマッサージ接触部と；
当該マッサージ接触部の一方の近傍に設けられ、前記マッサージ接触部からの照明効果を伝える光源と；
を具えることを特徴とするマッサージ装置。